(57)【要約】【課題】電磁ソレノイドを利用した不正器具による不正遊技を速やかに発見することができる不正行為検知方法及び装置を提供する。【解決手段】メダルの投入に応じて、入賞コマ及び外れコマが配置されたリールを回転させると共に任意のコマを停止させて入賞又は外れを判定し、入賞時にメダルを払出すようにされた回胴式遊技機において、リール１の入賞コマ停止エリア３の近傍にリプレイランプＬを点灯させるリプレイコマ停止エリア３を設け、このリプレイランプＬの点灯を検知する光センサ−４又は電流センサー５と、リプレイランプＬの点灯回数をカウントする計数器７と、リプレイランプＬの点灯回数が基準値以上であったか否を判定する判定回路８と、点灯回数が基準値以上であることが判定された場合に警報を発生させる警報回路８並びに警報装置１０とを備える。【選択図】  図２
2004242719.tif 000002
【特許請求の範囲】
【請求項１】
スタートレバー操作に応じて、入賞コマ及び外れコマが配置されたリールを回転させると共に任意のコマを停止させて入賞又は外れを決定し、入賞時にメダルを払出すようにされた回胴式遊技機において、前記リールの入賞コマの近傍にある他のコマの停止回数が基準値以上になった場合に警報を発することを特徴とする回胴式遊技機の不正行為検知方法。
【請求項２】
スタートレバー操作に応じて、入賞コマ及び外れコマが配置されたリールを回転させると共に任意のコマを停止させて入賞又は外れを判定し、入賞時にメダルを払出すようにされた回胴式遊技機において、前記リールの入賞コマの近傍にリプレイランプを点灯させるリプレイコマを設け、このリプレイランプの点灯を検知する検知手段と、リプレイランプの点灯回数をカウントする計数手段と、リプレイランプの点灯回数が基準値以上であったか否を判定する判定手段と、点灯回数が基準値以上であることが判定された場合に警報を発生させる警報手段とを備えたことを特徴とする回胴式遊技機の不正行為検知装置。
【発明の詳細な説明】
【０００１】
【発明の属する技術分野】
本発明は、回胴式遊技機（パチスロ機）に対して、不正電波以外の物理的な不正器具を用いて行われる不正行為を検知する検知方法に関するものである。
【０００２】
【従来の技術】
近年、パチスロ機等の遊戯機に対して不正な遊技を行ない出玉を搾取する行為により、同業界全体における被害額は年間数百億円に上るとも言われている。このような不正行為を検知する従来の方法としては、遊技機に対して照射された不正電波を検知する方法やコインの払出口にセンサーを設け、コインの過剰な払出しを検知して不正行為を判定する方法が提案されている（例えば、特許文献１参照。）。
【０００３】
【特許文献１】
特開２００２−２１００７７号公報
【０００４】
【発明が解決しようとする課題】
ところで、最近、遊技機の入賞のタイミングを感知する電磁ソレノイドを利用した不正器具（以下、ソレノイド不正器具と称す）による不正遊技が数多く報告されている。これは、リールの回転を開始させるためのスタートレバーに釣り糸等を用いて電磁ソレノイドチューブを垂下させ、タイミングを見計いながら電磁ソレノイドをスイチングすることで、その自重によりスタートレバーを上下動操作するもので、一旦、的中した入賞のタイミングを記憶するワンチップマイコンが搭載されている器具である。したがって、この器具を用いて一度でも入賞のレーバー操作のタイミングが得られれば、遊技者はこの器具でもって入賞タイミングを何度も再現して連続して入賞し続けることができる。
【０００５】
すなわち、現在の回胴式遊技機では、入賞（ボーナスゲーム）の成立の有無は、リールの回転を開始させるスタートレバーを操作した瞬間に、内部のＣＰＵによって、それぞれの入賞が一定の確率で抽選されリールの入賞コマが停止するようにされている。このように、入賞コマを停止させるタイミングは、スタートレバーの極めて瞬間的な操作タイミングによって決定されるものであり、遊技者がこのタイミングを体得することは極めて困難なことである。本発明は上記のような実状に鑑み、電磁ソレノイドを利用した不正器具による不正遊技を速やかに発見することができる不正行為検知方法及び装置を提供することにある。
【０００６】
【課題を解決するための手段】
このため本発明の回胴式遊技機に対する不正行為検知方法は、スタートレバー操作に応じて、入賞コマ及び外れコマが配置されたリールを回転させると共に任意のコマを停止させて入賞又は外れを決定し、入賞時にメダルを払出すようにされた回胴式遊技機において、前記リールの入賞コマの近傍にある他のコマの停止回数が基準値以上になった場合に警報を発することを特徴とする。
【０００７】
また、上記方法を達成する装置は、スタートレバー操作に応じて、入賞コマ及び外れコマが配置されたリールを回転させると共に任意のコマを停止させて入賞又は外れを判定し、入賞時にメダルを払出すようにされた回胴式遊技機において、前記リールの入賞コマの近傍にリプレイランプを点灯させるリプレイコマを設け、このリプレイランプの点灯を検知する検知手段と、リプレイランプの点灯回数をカウントする計数手段と、リプレイランプの点灯回数が基準値以上であったか否を判定する判定手段と、点灯回数が基準値以上であることが判定された場合に警報を発生させる警報手段とを備えたことを特徴とする。
【０００８】
本発明の検出原理について説明する。ソレノイド不正器具を使用する遊技者は、先ず、入賞タイミングを得るために、数回〜数十回は普通にゲームを行なう必要がある。すなわち、一度は入賞コマに停止させるべく不正器具のスイッチングを人的操作により行う。一例として、理論上のリールの入賞コマ割は８０コ／１６０８００コ、リールの回転数は通常一回転するのに０．００２７秒という高速で回転している遊技機があるが、ソレノイド不正器具を使用するとこの極めて瞬間的なスイッチング操作が可能になる。そして、入賞タイミングに接近するにつれて入賞コマ前後近傍の役コマや外れコマの発生率が以上に増加する現象が生じる。これを遊技者が肉体的にレバー操作して行なうことはほとんど不可能であるため、この現象の発生により、遊技者がソレノイド不正器具を使用していると判断できるのである。したがって、入賞コマの前後近傍のコマの異常な発生回数を検知して、警報を発生させたり機械を停止させることで、不正行為による被害を未然する防止することができる。
【０００９】
【発明の実施の形態】
次に、本発明の実施の形態について図面に示す実施例に基づいて説明する。
図１は本発明に係るリールのコマ割を説明する摸式図、図２は本発明に係る回胴式遊技機の不正行為検知装置を示すブロック図である。
【００１０】
【実施例】
図１は、回胴式遊技機のリール１をコマ割を摸式的に示すものである。図に示すように、本実施例の回胴式遊技機のリール１では、入賞コマ停止エリア２の近傍にリプレイコマ停止エリア３が設けられている。リプレイコマ停止エリアでリール１が停止された場合は、投入したメダルが返却されると共に、遊技機盤面に設けられたリプレイランプＬ（図２参照）が点灯するようにされている。
【００１１】
図２に示すように、本発明に係る不正行為検出装置は、リプレイランプＬの点灯を検知する点灯検知手段であるフォト・トランジスターやフォト・ダイオード等の光センサー４、またはリプレーランプのコードに接続されてリプレイランプＬへ流れた電流を検出するＣＴ（カレント・トランス）等の電流センサー５を備えている。そして、リプレイランプＬが点灯すると、光センサー４あるいは電流センサー５から送信されるアナログ信号をＡＭＰ（電流入力アンプ）６によりデジタル信号化して、これを計数器７によりカウントする。すなわち、リプレイランプＬの点灯回数、すなわち、リプレイコマの停止回数をカウントする。そして、リプレイランプＬの点灯回数が基準値以上であったか否を判定する判定回路８を計数器７に接続し、点灯回数が基準値以上であることが判定された場合に警報回路９に信号を送りブザー、表示灯等の警報装置１０を稼動して警報を発生させると同時に電源あるいは主回路を切断して遊技機を停止させる。尚、警報回路９にはラッチ回路１２を介してリセット回路が接続され、警報の解除並びに遊技機の再稼動ができるようにされている。
【００１２】
次に、本実施例装置による不正行為の検出方法について説明する。
今、不正遊技者がソレノイド不正器具を使用して、最初の入賞タイミングを得るべくゲームを行なっていたとすると、スイッチングのタイミングが次第に入賞コマ停止のためのスタートレバー操作タイミングに近づいてゆく、すなわち、入賞タイミングに接近するにつれて入賞コマ近傍のリプレイコマ停止エリア３内で停止する回数が急増し、リプレイランプＬが頻繁に点灯するようになる。このランプ点灯による異常な発光又は異常な電流の流れが計数器７によって検出され、基準値以上の発光があったことが判定出力され、不正遊技があったことが判定されると同時に、ブザーや警告灯等の警報装置１０で警報することにより、巡回した店員等が速やかに発見することができる。
【００１３】
尚、本発明の要旨は、遊技者の肉体的なレバー操作では不可能な、入賞コマの近傍にある他のコマへの集中的な停止回数の異常を検知してソレノイド不正器具の使用を判別する点にあり、上記実施例のように入賞コマの近傍に設けるコマがリプレイコマで無くても勿論良い。すなわち、入賞コマの近傍のコマに停止する回数が基準値以上に頻発した場合に、これを異常と判断して警報を発するものであれば、その方式並びに装置構成は本発明の要旨を逸脱しない範囲において任意であることは言うまでもない。
【００１４】
【発明の効果】
以上のように、本発明によれば、回胴式遊技機における電磁ソレノイドを利用した不正器具による不正遊技を速やかに発見することができるという優れた効果がある。
【図面の簡単な説明】
【図１】本発明に係るリールのコマ割を説明する摸式図である。
【図２】本発明に係る回胴式遊技機の不正行為検知装置を示すブロック図である。
【符号の説明】
１    リール
２    入賞コマ停止エリア
３    リプレイコマ停止エリア
４    光センサー
５    電流センサー
６    ＡＭＰ（電流入力アンプ）
７    計数器
８    判定回路
９    警報回路
１０  警報装置（ブザー、表示灯）
１１  リセット回路
１２  ラッチ回路
Ｌ    リプレイランプ
【図１】
2004242719.tif 000003
【図２】
2004242719.tif 000004